(57)【要約】【課題】利便性の高い分電盤を提供する。【解決手段】分電盤１００は、通電状態に異常があるときにトリップ動作によりその電路を遮断する主幹開閉器１１０と、主幹開閉器１１０の出力側に接続された複数の分岐開閉器１３０と、該分岐開閉器の負荷装置側配線を接続する負荷側コネクタとを備える。分電盤１００は、さらに分岐開閉器１３０の通電状態の異常の有無を検知して分岐通電信号Ｄ２を出力する分岐通電検知部１３０を備え、分岐開閉器１３０は、分岐通電信号Ｄ２に基づいてその電路の開閉を電気制御する分岐リレー１３１を有する。さらに、分岐リレー１３１と前記分岐通電検知部の負荷装置側配線とはプリント基板上に配置され、前記プリント基板が前記負荷側コネクタに接続される。【選択図】図１９
2020022363.tif 000002
【特許請求の範囲】
【請求項１】
主幹開閉器と、該主幹開閉器の出力側に分岐リレー接続部を介して接続された複数の分岐開閉器と、該分岐開閉器の負荷装置側配線を接続する負荷側コネクタとを収納する筐体を備える分電盤であって、
前記分岐開閉器の通電状態の異常の有無を検知して分岐通電信号を出力する分岐通電検知部と、前記分岐通電信号を受けて分岐開閉器の電路の接続のオンオフを制御する開閉制御信号を出力する制御部とを備え、
前記主幹開閉器は、該主幹開閉器の通電状態に異常があるときに機械的に自動遮断するトリップ動作により該主幹開閉器の電路を遮断すると共に、使用者の開閉操作を受けて該電路を開閉できる開閉器であり、
前記分岐開閉器は、前記開閉制御信号を受け、該分岐開閉器の通電状態に異常があるときに該分岐開閉器の電路を遮断すると共に、使用者の開閉操作を受けて該電路を開閉できる開閉器であって、
複数の前記分岐開閉器と前記分岐通電検知部と前記分岐通電検知部の負荷装置側配線とがプリント基板上に配置され、
前記プリント基板が前記負荷側コネクタに接続された
ことを特徴とする分電盤。
【請求項２】
請求項１記載の分電盤において、
前記分岐開閉器の状態を表示するとともに、その表示部分で使用者の操作を受けるタッチパネルをさらに備え、前記制御部は、
前記タッチパネルへの操作に基づいて、前記分岐開閉器の電路の接続をオンオフ制御する開閉制御信号を前記分岐開閉器に出力し、
前記分岐開閉器は、前記分岐通電信号および前記タッチパネルの操作に対応する開閉制御信号のうちの少なくともいずれか一方に基づいて前記分岐開閉器の電路の接続をオンオフ制御することを特徴とする分電盤。
【発明の詳細な説明】
【技術分野】
【０００１】
本発明は、住宅等において使用される分電盤に関するものである。
【背景技術】
【０００２】
一般的な分電盤は、ボディに収納された主幹開閉器（特許文献１では、主幹分岐回路遮断器）と、複数の分岐開閉器（特許文献１では、分岐回路遮断器）によって構成されている。ボディの前面側には、カバーが設けられており、そのカバーには、主幹開閉器や分岐開閉器等の操作部である操作レバーが配設されたボス部を露出させる窓孔が形成されている（例えば、特許文献１）。  
【０００３】
このような一般的な分電盤において、主幹開閉器および分岐開閉器の過電流や漏電等の異常を検知すると、操作レバー（特許文献２では、操作ハンドル）が傾倒または起立することにより回路を遮断するトリップ動作を行うようになっている。このように、機械的な動作によって回路の遮断を行うため、例えば、故障が生じた場合に主幹開閉器や分岐開閉器を交換する必要がある。一般的に、分岐開閉器は主幹開閉器と比較して、定格容量（定格電圧や定格電流等）が小さく設定される。また、例えば、大電流を使用する複数の負荷装置（例えば、電子レンジやドライヤー等）が単一の分岐開閉器に接続されることがある。このような状況から、分岐開閉器は、主幹開閉器と比較してトリップ動作や使用者の操作等による接続／遮断の動作回数が多くなり、主幹開閉器と比較してその交換頻度が高くなる傾向がある。
【０００４】
特許文献２には、分岐開閉器（特許文献２では、分岐ブレーカ）の交換作業が容易な分電盤が開示されている。このものでは、分岐開閉器は、ブレーカ取付け板上に着脱可能に取り付けられ、この取付け板の裏側に形成された隙間を通って電力計測器と分岐開閉器の信号出力端とを配線している。これにより、故障等により交換の必要が生じた分岐開閉器を交換する際に、配線が邪魔にならない。
【０００５】
また、特許文献３には、ベース台の短手方向の両側において、長手方向に並べて配設された複数の分岐開閉器（特許文献３では、分岐ブレーカ）と、ベース台上に保持されたメインバー上に配設された表示ユニットとを備えた分電盤が開示されている。表示ユニットは、対応する分岐ブレーカに隣接するように配設された複数のＬＥＤを有している。この特許文献３の分電盤において、表示ユニットのＬＥＤは、予め設定された電流閾値と電流センサが検出した電流値との比較に応じて点灯や点滅を行う。
【先行技術文献】
【特許文献】
【０００６】
【特許文献１】特開２００２−７８１２０号公報
【特許文献２】特開２００９−２０７２３７号公報
【特許文献３】特開２００８−１３６２８０号公報
【発明の概要】
【発明が解決しようとする課題】
【０００７】
しかしながら、特許文献１〜３に開示されているような従来の分電盤では、分電盤のサイズが主幹開閉器および分岐開閉器の数に依存して大きくなるという課題がある。すなわち、例えば、屋内で使用する負荷装置数の増加等に伴って分岐開閉器数を増加させるのに伴い、分電盤のサイズを大きくする必要があるという課題がある。仮に、既存の住宅等で分岐開閉器を増設する場合において、増設する分岐開閉器数が既設の分電盤のサイズに基づいて規定される分岐開閉器数を超えるとき、分電盤を増設（追加）するか、既設の分電盤よりもサイズの大きい分電盤と交換する必要がある。
【０００８】
さらに、従来の分岐開閉器は、例えば、バイメタル等を構成部品に含む熱動電磁方式であるため、通電電流により発熱する。この発熱による影響を緩和するため、すなわち冷却効果を確保するために、分岐開閉器の配置間隔の確保および周辺空間の確保が必要であり、従来の分電盤では、そのサイズを小さくすることは容易ではない。
【０００９】
また、前述のとおり、分岐開閉器は、例えば、予め定めた所定期間毎等での交換を要し、主幹開閉器と比較して、その交換頻度が高くなる。分電盤は、玄関やトイレの天井等の比較的暗くかつ高い位置に設けられことが多いため、分岐開閉器の交換作業は面倒であるという課題がある。
【００１０】
これらの課題に対して、主幹開閉器および分岐開閉器を、共にリレー（例えば、ラッチリレーや半導体リレー）等の電気制御されるユニットに置きかえることが考えられる。これらのユニットは、既存の分電盤に採用されている主幹開閉器や分岐開閉器と比較して、通電電流による発熱が小さく、各々のユニットを構成する素子のサイズも小さくすることができる。そのため、分岐開閉器数が増加した場合においても、一定の大きさのケース内に主幹開閉器および分岐開閉器を収納することができる。
【００１１】
しかしながら、主幹開閉器および分岐開閉器にリレーを用いた場合、例えば、通電状態が保持された状態でリレーの駆動部が壊れることにより、リレーを取り外さない限り通電状態が維持される、すなわち負荷側に電流が流れ続ける故障が発生する場合がある。分電盤には、例えば１００Ｖ〜２００Ｖ程度の電圧が印加され、また、例えば２０Ａ〜１００Ａ程度の電流が流れることを考えると、このような通電状態が継続する可能性を有する構成は好ましくない。
【００１２】
また、従来の分電盤では、主幹開閉器や分岐開閉器が過電流や漏電等により遮断したとき、どの分岐開閉器がどのような原因で遮断したのかが不明確であるという課題がある。例えば、特許文献３では、分岐開閉器の使用状況を発光ダイオードの点灯により表示する技術が開示されているが、分岐開閉器が遮断した場合の遮断原因を報知する方法については開示されていない。また、分電盤は、玄関やトイレの天井等の比較的暗く、かつ高い位置に設けられことが多いため、特許文献３に開示されているような表示方法では、分岐開閉器数が増えた場合に、遮断された分岐開閉器の判別等がしにくいという課題がある。特に、停電等が発生し、周囲が暗くなっている状況では、遮断された分岐開閉器の判別等がしにくいという課題がある。
【００１３】
本発明は、上記課題を解決するためになされたものであり、その主な目的は、分電盤の安全性を確保しつつ、利便性を向上させた分電盤を提供することにある。
【課題を解決するための手段】
【００１４】
本発明に係る分電盤は、通電状態に異常がある際にトリップ動作により電気接続を遮断する主幹開閉器と、分岐通電信号に基づいてリレーを制御することにより電気接続を遮断する分岐開閉器とを接続して構成したものである。
【００１５】
すなわち、本発明の第１態様では、分電盤は、主幹開閉器と、該主幹開閉器の出力側に分岐リレー接続部を介して接続された複数の分岐開閉器と、該分岐開閉器の負荷装置側配線を接続する負荷側コネクタとを収納する筐体を備えている。さらに、分電盤は、分岐開閉器の通電状態の異常の有無を検知して分岐通電信号を出力する分岐通電検知部を備えている。また、前記分岐通電信号を受けて分岐開閉器の電路の接続のオンオフを制御する開閉制御信号を出力する制御部を備えている。そして、主幹開閉器は、該主幹開閉器の通電状態に異常があるとき、トリップ動作により該主幹開閉器の電路を遮断するものであり、分岐開閉器は、開閉制御信号を受け、該開閉制御信号に基づいて該分岐開閉器の電路の開閉を電気制御する切替ユニットを有しているものであって、複数の前記分岐開閉器と前記分岐通電検知部と前記分岐通電検知部の負荷装置側配線とがプリント基板上に配置され、前記プリント基板が前記負荷側コネクタに接続されたものである。
【００１６】
本態様によると、主幹開閉器は、トリップ動作により電路を遮断する、すなわち、機械的手段により電路の遮断を行うため、分岐開閉器の通電状態に異常がある際に安全かつ確実に電路を遮断することができる。一方で、分岐開閉器は、分岐通電信号に基づく切替ユニットの電気制御により、その電路の開閉（接続／遮断）を行う。一般的に、このような電気制御による切替ユニットは、機械的手段により電路を遮断する装置と比較して、長寿命であり、かつ小型化することが可能である。したがって、本開示に係る分電盤は、分電盤をすべて機械的手段により構成した場合と比較して、長寿命であり、かつ小型化することができる。さらに、電気制御による切替ユニットは、機械的手段により電路を遮断する装置と比較して、発熱を抑制することができる。したがって、冷却効果を確保するための各分岐開閉器間の空間確保や周辺空間の確保が不要となり、分電盤を小型化することができる。また、電気制御による切替ユニットは、例えば、プリント基板のような基板への実装が可能であり、例えば、あらかじめ複数の分岐開閉器とその配線とが実装された基板を準備することにより、施工時等における分電盤の設置作業、部品取り替え作業を容易化することができる。
【００１７】
本発明の第２態様では、第１態様記載の分電盤において、分岐開閉器の状態を表示するとともに、その表示部分で使用者の操作を受けるタッチパネルと、タッチパネルへの操作に基づいて、分岐開閉器の電路の接続をオンオフ制御する開閉制御信号を切替ユニットに出力する制御部とを備えている。そして、切替ユニットは、分岐通電信号および開閉制御信号のうちの少なくともいずれか一方に基づいて分岐開閉器の電路の接続をオンオフ制御するものである。
【００１８】
本態様によると、使用者の操作を受けて分岐開閉器の電路の接続をオンオフ制御可能にしたタッチパネルを有している。タッチパネルは、表示の追加や複数の情報を重ねて表示することや、レイアウトを変更して表示することなどが可能であり、分岐開閉器の電路の接続情報、分岐開閉器の通電状態等を使用者にわかりやすく表示することができる。さらに、タッチパネルに分電盤以外の情報を表示することも可能である。具体的には、例えば、本態様に係る分電盤を台所などに設置し、定常時には、分電盤に関する情報表示に代えて、テレビやインターネット等の情報を表示したり、インターネットでの使用者による検索（レシピ等の検索）等を可能にすることができる。
【００１９】
また、第２態様記載の分電盤において、主幹開閉器および複数の分岐開閉器が収納された筐体を備え、タッチパネルは、筐体の表面からの操作が可能に配設され、主幹開閉器は、該主幹開閉器の電路の接続をオンオフ制御可能に構成された操作レバーを有し、操作レバーは、タッチパネルの左側において、筐体の外部に露出するように配設されていて、該筐体外部からの操作が可能に構成してもよい。
【００２０】
本態様によると、主幹開閉器の操作レバーを筐体の左側表面に操作可能に露出させている。一般的に、分電盤は、玄関やトイレの天井等の比較的暗く、かつ高い位置に設けられことが多いため、その筐体の左右方向のスペースが限られている場合も多い。本態様では、操作レバーの右側にタッチパネルの領域分のスペースが形成されている。これにより、使用者による傾倒または起立操作を要する操作レバーに対して、右手による操作を容易にすることができる。
【００２１】
また、分電盤において、主幹開閉器の通電状態を検知して主幹通電信号を出力する主幹通電検知部を備えている。そして、制御部は、分岐通電信号に基づく分岐開閉器の通電状態および主幹通電信号に基づく主幹開閉器の通電状態のうちの少なくともいずれか一方が通電異常状態にあるとき、該通電異常状態であることをタッチパネルに表示してもよい。
【００２２】
本態様によると、使用者は、オンオフ制御されている開閉器（主幹開閉器と分岐開閉器とをあわせて単に開閉器と称する場合がある。以下同様とする。）の情報に加えて、通電異常状態にある開閉器を瞬時にかつ明確に把握することができる。さらに、例えば、制御部が、分岐通電信号から受ける通電異常状態として、通電状態の異常の有無に加えて、通電状態の異常の内容の情報を読み取るように設定することにより、異常状態の種別を表示することができる。このような表示をすることにより、使用者は次に必要な行動、作業等を把握することができる。具体的には、例えば、居住者が自身で解決可能な異常なのか、あるいは電力会社や電気工事士等の有資格者等に通報を要する異常なのかを瞬時に把握することができる。
【００２３】
また、分電盤において、タッチパネルは、通電異常状態の表示において、通電異常状態にある開閉器を示す情報を他の情報よりも目立つように強調して表示してもよい。
【００２４】
本態様のように通電異常状態を他の情報よりも目立つように強調して表示することにより、通電異常状態にある開閉器をより容易かつ瞬時に、明確に把握することができる。これにより、使用者は次に必要な行動、作業等をより容易かつ瞬時に把握することができる。このような表示をすることにより、使用者は次に必要な行動、作業等を把握したり、開閉器の復帰作業を実施したりすることができる。なお、他の情報よりも目立つように強調して表示するとは、他の情報を完全に省いて、異常報知情報を目立つように表示部に強調して表示することも含む概念である。
【００２５】
また、分電盤において、主幹開閉器および複数の分岐開閉器が収納された筐体と、筐体と一体的に設けられ、該筐体の内外を電気接続可能に構成されており、該筐体内において各分岐開閉器の負荷側配線と接続された負荷側コネクタとを備えていることを特徴としてもよい。
【００２６】
この態様によると、各分岐開閉器の負荷側配線は負荷側コネクタに接続されている、すなわち負荷側コネクタを介して外部の負荷装置と接続可能に構成されている。これにより、例えば、新たに分電盤を施工する際に、従来の分電盤では、各分岐開閉器に対して負荷装置の配線を接続する必要があったのに対して、本態様では、負荷装置の配線と接続された負荷装置側のコネクタを分電盤の筐体と一体的に設けられた負荷側コネクタに接続することにより施工を行うことが可能になる。これにより、施工の作業容易性が向上する。さらに、例えば、分岐開閉器の故障や接続機器の配線変更がある場合に、分電盤内の配線の変更をすることなく、負荷装置側のコネクタへの配線を変更して、負荷装置と分岐開閉器との接続変更を行うことができる。
【００２７】
また、分電盤において、主幹開閉器および複数の分岐開閉器が収納された筐体と、筐体と一体的に設けられ、該筐体の内外を電気接続可能に構成されており、該筐体内において主幹開閉器の入力側と接続された電源側コネクタと、電源側コネクタに接続され、主幹開閉器が遮断された際に制御部およびタッチパネルのうちの少なくともいずれか一方に電源を供給するバッテリーとを備えていることを特徴としてもよい。
【００２８】
この態様によると、バッテリーは電源側コネクタに接続されている。すなわち、主幹開閉器を経由することなく、電源側コネクタを介して外部の電源に接続されている、このような構成とすることにより、主幹開閉器が遮断されている場合においても、外部の電源からの電力が供給されていればバッテリーは充電される。これにより、例えば、停電時や、長期間にわたって主幹開閉器が遮断されているとき（例えば、長期間の不在、引っ越し等）でも、制御部やタッチパネルを動作させることができる。
【発明の効果】
【００２９】
本発明によれば、通電状態に異常がある際にトリップ動作により電路を遮断する主幹開閉器を備え、分岐開閉器の電路の開閉を電気制御により実現することにより安全性を確保しつつ、分電盤の利便性を高めることができる。
【図面の簡単な説明】
【００３０】
【図１】実施形態に係る分電盤の斜視図であり、（ａ）は右斜め上側から見た斜視図、（ｂ）は右斜め下側から見た斜視図である。
【図２】実施形態に係る分電盤のカバーを外して右斜め上側から見た斜視図である。
【図３】実施形態に係る分電盤の回路構成例を示した図である。
【図４】分岐リレーと分岐リレー接続部との接続を説明するための図である。
【図５】主幹開閉器の初期通電診断フローを示すフロー図である。
【図６】主幹開閉器のＯＮ診断のフロー図である。
【図７】主幹開閉器のＯＮ診断のフロー図である。
【図８】分岐リレーのＯＮ診断のフロー図である。
【図９】分岐リレーがＯＮ／ＯＦＦ操作されたときの分岐リレーのＯＮ診断のフロー図である。
【図１０】主幹開閉器の定常時診断のフロー図である。
【図１１】主幹開閉器の定常時診断のフロー図である。
【図１２】主幹開閉器の定常時診断のフロー図である。
【図１３】分岐リレーの定常時診断のフロー図である。
【図１４】ピークカット処理のフロー図である。
【図１５】定常状態におけるタッチパネルの表示例を示した図である。
【図１６】タッチパネルの初期表示画面の一例を示した図である。
【図１７】主幹開閉器の異常状態におけるタッチパネルの表示例を示した図である。
【図１８】分岐リレーの異常状態におけるタッチパネルの表示例を示した図である。
【図１９】実施形態に係る分電盤の他の回路構成例を示した図である。
【発明を実施するための形態】
【００３１】
以下、本発明の実施形態を図面に基づいて詳細に説明する。以下の好ましい実施形態の説明は、本質的に例示に過ぎず、本発明、その適用範囲あるいはその用途を制限することを意図するものではない。また、発明の理解を容易にするために、実質的に同一または類似の事項についての説明を省略する場合がある。
【００３２】
（分電盤の構成）
図１は実施形態に係る分電盤の斜視図であり、図２は分電盤のカバーを外して右斜め上側から見た斜視図であり、図３は分電盤の回路構成例を示した図である。
【００３３】
図１〜図３に示すように、分電盤１００は、外部の電源からの電力の供給を受ける主幹開閉器１１０と、後述する主幹電流測定部１２１および主幹異常検出部１２２を有する主幹通電検知部１２０並びに分岐リレー接続部１２３を介して主幹開閉器１１０の負荷装置側に接続された複数の分岐開閉器１３０と、これらを収納する矩形箱状の筐体１０１とを備えている。分岐開閉器１３０は、切替ユニットとしての分岐リレー１３１を備えている。本実施形態では、分岐リレー１３１はラッチリレーであるものとして説明する。
【００３４】
なお、分岐リレー１３１はラッチリレーに限定されず、例えば、半導体リレーのような他のリレーであってもよい（後述する“その他の実施形態”および図１９参照）。また、切替ユニットとして、例えば、非接触給電方式の切替手段のようなリレー以外の切替手段を用いて電路の開閉の切替えをしてもよい。なお、本開示において、リレーとは、有接点リレー、無接点リレーおよび有接点リレーと無接点リレーとを組み合わせたハイブリッド型のリレーを含む概念である。
【００３５】
筐体１０１は、主幹開閉器１１０および分岐リレー１３１等が配設され、かつ前面が開口した矩形箱状のボックス１０１ａと、ボックス１０１ａの開口を覆うカバー１０１ｂとを備えている。ボックス１０１ａは、ねじやフック（図示しない）等によって壁面等に取り付けされる。また、ボックス１０１ａとカバー１０１ｂとは、例えば長手方向（図１における左右方向）の側面において、ねじ（図示しない）によってねじ止めされる。
【００３６】
なお、上記のねじ止め固定される場所は、例えば、カバー１０１ｂの前側からのねじ止め固定でもよい。また、ボックス１０１ａやカバー１０１ｂに嵌合部（図示しない）を設け、その嵌合部の嵌合によってボックス１０１ａとカバー１０１ｂとを固定してもよい。なお、本実施形態の説明において、“前”とはカバー１０１ｂ側を、“後”とはボックス１０１ａ側を指すものとする。
【００３７】
カバー１０１ｂの前面には、上端から下端までの間において、右側端部からカバー１０１ｂの左右中間の左側寄りまで広がるタッチパネル２００が設けられている。カバー１０１ｂ前面においてタッチパネル２００左側の上下方向の中間部分には、タッチパネル２００を初期表示状態に戻すためのホームボタン１０４が設けられている。
【００３８】
また、ホームボタン１０４の左側の上下方向の中間部分には、後述する主幹開閉器１１０の主幹突状部１１２の大きさよりも若干大きく形成され、前後方向に貫通する矩形の貫通孔１０２ａが設けられている。これにより、ボックス１０１ａにカバー１０１ｂが取り付けされた際に、主幹開閉器１１０の主幹突状部１１２および後述する操作レバー１１３がカバー１０１ｂの外側に露出する。同様に、カバー１０１ｂのタッチパネル２００左側の下端部寄りの部位には、後述するバッテリー表示部１６１、マイク１６２およびスピーカ１６３をそれぞれ外部に露出するために、これらの大きさよりもそれぞれ若干大きく形成され、前後方向に貫通する矩形の貫通孔１０２ｂ，１０２ｃ，１０２ｄが設けられている。また、カバー１０１ｂの下面右端部には、タッチパネル２００をオンオフ制御するための電源ボタン１０３が設けられている。
【００３９】
図２に示すように、ボックス１０１ａ上面の長手方向両側には、電源側コネクタ１５１と負荷側コネクタ１５６とがボックス１０１ａから上側に向かうようにそれぞれ一体的に突設されている。電源側コネクタ１５１は、筐体１０１の内外で電気接続が可能に構成された複数の接続端子を有し、外部の電源と接続された接続ケーブル３０１のコネクタ３０１ａと接続可能に構成されている。電源側コネクタ１５１の接続端子は、筐体１０１の内部において、主幹開閉器１１０の入力端子と接続されている。このような構成とすることにより、主幹開閉器１１０は電源側コネクタ１５１および接続ケーブル３０１を介して外部の電源と接続される。
【００４０】
主幹開閉器１１０は、矩形箱状の主幹ベース部１１１と、主幹ベース部１１１の前側に一体的に突設された矩形箱状の主幹突状部１１２と、主幹突状部１１２に形成した貫通窓から前側に突設され、使用者の起立／傾倒操作を受けて主幹開閉器１１０の電路の接続／遮断をオンオフ制御可能に構成された操作レバー１１３とを備えている。さらに、主幹開閉器１１０は、トリップ動作により主幹開閉器１１０の電路を開閉可能に構成された電路遮断機構（図示しない）を備えている。電路遮断機構は、電磁式の瞬時引外し装置、バイメタル式の時延形引外し装置、トリップコイル等によって構成されており、過電流、短絡電流、漏電、過電圧等の主幹開閉器１１０の負荷装置側における通電状態に異常があるとき、主幹開閉器１１０の電路を、機械的に自動遮断する（以下、トリップ動作ともいう）機構である。
【００４１】
主幹通電検知部１２０は、主幹電流測定部１２１と、主幹異常検出部１２２とを備えており、主幹開閉器１１０の通電状態の異常の有無を検知して、その検知結果を示す主幹通電信号Ｄ１を出力する。主幹電流測定部１２１は、短絡および過電流を検知するためのものであり、具体的には、電路を流れる電流を測定し（例えば、特開２０００−２９９９３４号公報、特開２００８−１３１７６５号公報参照）、その測定結果を主幹電流信号Ｄ１１として出力する。主幹異常検出部１２２は、過電圧および漏電を検知するためのものであり、具体的には、電圧および電路に設けられた変流器からの検出信号に基づく漏電電流を測定し（例えば、特開２００９−０８１９２８号公報参照）、その測定結果を主幹異常信号Ｄ１２として出力する。本開示では、主幹通電信号Ｄ１とは、主幹電流信号Ｄ１１および主幹異常信号Ｄ１２の両方またはいずれか一方を指すものとする。
【００４２】
図３および図４に示すように、分岐リレー接続部１２３は、主幹通電検知部１２０の負荷装置側に接続されており、主幹開閉器１１０および主幹通電検知部１２０を介して外部の電源から供給された電力を分岐して各分岐リレー１３１に出力する。具体的には、分岐リレー接続部１２３は、ボックス１０１ａの右側の上下方向中間において、ボックス１０１ａの長手方向に延びる矩形状体であり、この分岐リレー接続部１２３の上下方向の両側面には、端子差込口１２３ａが分岐リレー接続部１２３の長手方向に所定のピッチで並べて形成されている。端子差込口１２３ａは、分岐リレー接続部１２３の前側において、ボックス１０１ａの長手方向に所定のピッチで並べて形成されたＮ極端子差込口１２３ｂと、各Ｎ極端子差込口１２３ｂと対応するように分岐リレー接続部１２３の後側において、ボックス１０１ａの長手方向に所定のピッチで並べて形成されたＬ極端子差込口１２３ｃとからなる。
【００４３】
複数の分岐リレー１３１は、分岐リレー接続部１２３の上下方向の両側において、ボックス１０１ａの長手方向に並べて配設されている。各分岐リレー１３１は、その一側面から突設された２本の一次側Ｎ極端子１３１ｂおよび２本の一次側Ｌ極端子１３１ｃを備えており、各分岐リレー１３１は、一次側Ｎ極端子１３１ｂおよび一次側Ｌ極端子１３１ｃを、分岐リレー接続部１２３のＮ極端子差込口１２３ｂおよびＬ極端子差込口１２３ｃに差し込むことで分岐リレー接続部１２３に接続される。
【００４４】
図２および図３に示すように、各分岐リレー１３１の負荷装置側には、分岐通電検知部１４０が配設されており、各分岐通電検知部１４０の負荷装置側配線は、それぞれ負荷側コネクタ１５６に接続されている。負荷側コネクタ１５６は、外部の負荷装置Ａ，Ｂ，Ｃと接続された接続ケーブル３０２のコネクタ３０２ａと接続可能に構成されている。
【００４５】
分岐通電検知部１４０は、分岐電流測定部１４１と、分岐異常検出部１４２とを備えており、分岐開閉器１３０の通電状態の異常の有無を検知して、その検知結果を示す分岐通電信号Ｄ２を出力する。分岐電流測定部１４１は、短絡電流および過電流を検出するためのものであり、具体的には、電路を流れる電流を測定し（例えば、特開２０００−２９９９３４号公報、特開２００８−１３１７６５号公報参照）、その測定結果を分岐電流信号Ｄ２１として出力する。分岐異常検出部１４２は、トラッキングおよび漏電を検知するためのものであり、具体的には、電圧の測定、および電路に設けられた変流器からの検出信号に基づく漏電電流を測定し（例えば、特開２００９−０８１９２８号公報参照）、その測定結果を分岐異常信号Ｄ２２として出力する。本開示では、分岐通電信号Ｄ２とは、分岐電流信号Ｄ２１および分岐異常信号Ｄ２２の両方またはいずれか一方を指すものとする。
【００４６】
分電盤１００は、ボックス１０１ａ内において、電源側コネクタ１５１に接続され、停電等により主幹開閉器１１０への電力供給が遮断されたことを検知し、検知結果に基づいて停電検知信号Ｄ３を出力する停電検知部１５２と、電源側コネクタ１５１および停電検知部１５２を介して外部の電源に接続されたバッテリー１５３と、制御部としての信号処理部１５４と、バッテリー１５３の残量が所定の閾値以下であることを示すバッテリー表示部１６１と、マイク１６２と、スピーカ１６３と、装置外部との通信を可能にする通信部１６４と、タッチパネル２００との間で信号の受渡しを行うパネル入出力部１６５とを備えている。
【００４７】
バッテリー１５３は、信号処理部１５４、パネル入出力部１６５およびタッチパネル２００に接続されており、信号処理部１５４、パネル入出力部１６５およびタッチパネル２００は、バッテリー１５３を介して外部の電源からの電源供給を受ける。これにより、例えば停電時でも使用者はタッチパネル２００の表示の確認や操作をすることができる。なお、信号処理部１５４は、主幹通電検知部１２０の負荷装置側とも接続されており、定常時に主幹開閉器１１０および主幹通電検知部１２０を介して電源の供給を受けるようにしてもよい。
【００４８】
バッテリー１５３は、上記のように電源側コネクタ１５１および停電検知部１５２を介して外部の電源に接続されている、すなわち、主幹開閉器１１０の入力側に接続されている。このような構成とすることにより、主幹開閉器１１０が遮断されている場合においても、外部の電源からの電力が供給されていればバッテリー１５３は充電される。例えば、長期間にわたって主幹開閉器１１０が遮断されたとき（例えば、長期間の不在、引っ越し等）でも、主幹開閉器１１０の操作レバー１１３を“ＯＮ”操作する前に、タッチパネル２００による操作やタッチパネル２００への表示等を実施することができる。なお、バッテリー１５３は、信号処理部１５４およびタッチパネル２００のうちのいずれか一方にのみ接続されていてもよいし、他のブロック、例えば、マイク１６２やスピーカ１６３に接続して、これらの非常用電源として使用してもよい。
【００４９】
信号処理部１５４は、分電盤１００内の各ブロックを制御する機能を有する。例えば、信号処理部１５４は、バッテリー１５３の充電状態を監視し、満充電時の充電停止等の充電制御を行ったり、バッテリー１５３の残量が所定の閾値未満になった場合およびその後閾値以上の残量に復帰した場合にバッテリー表示部１６１に表示制御信号を出力したりする。バッテリー表示部１６１は、例えば磁気反転表示素子を用いて構成され、信号処理部１５４からの信号を受けて表示を切り替える。このような構成をすることにより、バッテリー表示部１６１は、信号処理部１５４からの信号が停止した後でも継続して、バッテリー１５３の残量が閾値未満であることを表示することができる。
【００５０】
また、例えば、信号処理部１５４は、主幹通電検知部１２０の主幹通電信号Ｄ１、分岐通電検知部１４０の分岐通電信号Ｄ２および停電検知部１５２の停電検知信号Ｄ３を受けて、主幹通電信号Ｄ１、分岐通電信号Ｄ２、停電検知信号Ｄ３に基づいて、パネル入出力部１６５を介してタッチパネル２００の表示内容の制御を行ったり、スピーカ１６３からの警報情報等の報知を制御したり、通信部１６４を介して検知結果の送信を行ったりする。さらに、信号処理部１５４は、タッチパネル２００からの操作入力情報、マイク１６２からの音声入力情報、分岐通電検知部１４０の分岐通電信号Ｄ２に基づいて、分岐開閉器１３０の電路の接続をオンオフ制御する、すなわち、分岐リレー１３１をオンオフ制御する開閉制御信号ＣＳ１を分岐リレー１３１に出力し、分岐開閉器１３０（分岐リレー１３１）の電路の開閉を制御する。なお、以降の説明において、信号処理部１５４がパネル入出力部１６５を介してタッチパネル２００の画面表示等を制御したり、パネル入出力部１６５を介してタッチパネル２００の操作情報を受けたりすることについて、パネル入出力部１６５を経由する旨の記載を省略する場合がある。
【００５１】
（分電盤の通電状況の診断）
次に、分電盤１００の通電状況の診断フロー（例えば短絡、過電流、漏電、過電圧、トラッキング等の異常の有無の診断フロー）について図面を参照しながら詳細に説明する。
【００５２】
＜主幹開閉器の初期通電診断＞
図５は主幹開閉器１１０が“ＯＮ”操作された場合、すなわち主幹開閉器１１０の操作レバー１１３が“ＯＮ”操作された場合についての診断フローを示した図である。本実施形態では、主幹開閉器１１０の定格電流は例えば６０Ａであるものとし、分岐リレー１３１の定格電流は例えば２０Ａであるものとして説明する。なお、この定格電流は、発明の理解を容易にするために例示する値であり、発明の技術的範囲を限定する意図を有するものではない。以降の説明においても、定格電流値、定格電圧値、継続時間等の具体的な数値は、発明の理解を容易にするために例示する値であり、発明の技術的範囲を限定する意図を有するものではない。
【００５３】
まず、主幹開閉器１１０の操作レバー１１３が“ＯＮ”操作されると、フローはステップＳＭ１１からステップＳＭ１２に進み、信号処理部１５４は、後述する“主幹開閉器のＯＮ診断”を開始する。そして、“主幹開閉器のＯＮ診断”の診断結果に異常がなかった場合、フローはステップＳＭ１３からステップＳＭ１４に進み、信号処理部１５４は、タッチパネル２００に定常画面を表示させる。このとき、信号処理部１５４は、タッチパネル２００の表示の明るさを明るさ１（定常表示）に設定して（ＳＭ１５）、処理を終了する。
【００５４】
図１５は定常状態におけるタッチパネル２００の表示例を示した図である。図１５（ａ）は従来の分電盤の操作レバーと同様なイメージ図を用いて、定常時の各分岐開閉器１３０の通電状態（ＯＮ／ＯＦＦ状態）を表示した表示例を示しており、図１５（ｂ）は、ＯＮ状態とＯＦＦ状態との間で色を異ならせて表示し、その色の違いを用いて定常時の各分岐開閉器１３０の通電状態（ＯＮ／ＯＦＦ状態）を表示した表示例を示している。なお、通電状態（ＯＮ／ＯＦＦ状態）の表示は、図１５（ａ），（ｂ）の表示方法に限定されず、各分岐開閉器１３０の通電状態（ＯＮ／ＯＦＦ状態）が認識可能な表示方法であれば、他の表示方法であってもよい。
【００５５】
なお、タッチパネル２００には、図１６に示すように、分電盤１００の主幹開閉器１１０や分岐リレー１３１のオンオフ状態以外の表示をするようにしてもよい。このような表示の切り替えを可能にすることにより、例えば、異常時や主幹開閉器１１０や分岐リレー１３１のオンオフ状態設定等の設定時以外は、使用者はテレビやインターネット、写真や動画等を楽しんだり、地図や天気等の情報を検索したりすることができる。図１６の表示画面への切り替えは、例えば、ホームボタン１０４が押された時に画面の切り替えを行う。これにより、異常時や設定時等以外の時間において、タッチパネル２００を有効活用することができる。このような分電盤をリビングやキッチン等に配置することにより、普段の生活では分電盤を情報端末として有効活用可能にするとともに、異常時等には使用者が容易に異常状態の確認と主幹開閉器や分岐開閉器の復帰作業をできるようにすることができる。
【００５６】
＜主幹開閉器のＯＮ診断＞
図６は、図５のステップＳＭ１２の“主幹開閉器のＯＮ診断”の詳細を示したフロー図である。
【００５７】
まず、信号処理部１５４は、主幹電流測定部１２１からの主幹電流信号Ｄ１１に基づいて、主幹開閉器１１０の通電状態を確認する（ＳＭ２１０）。
【００５８】
主幹開閉器１１０の通電がない場合（ＳＭ２１０で“通電無”）、信号処理部１５４は、停電検知部１５２からの停電検知信号Ｄ３に基づいて、一次側（外部の電源から主幹開閉器１１０までの間）の通電状態を確認する（ＳＭ２１１）。
【００５９】
一次側の通電が確認されない場合（ＳＭ２１１で“通電無”）、信号処理部１５４は、タッチパネル２００に“停電状態”を表示させ（ＳＭ２１２）、その明るさを定常表示である明るさ１よりも明るい明るさ２に設定し（ＳＭ２１３）、“主幹開閉器のＯＮ診断”および“主幹開閉器の初期通電診断”の処理を終了する。
【００６０】
一方で、一次側の通電が確認された場合（ＳＭ２１１で“通電有”）、信号処理部１５４は、タッチパネル２００に“主幹異常状態”を表示させ（ＳＭ２１４）、タッチパネル２００の明るさを明るさ２に設定し（ＳＭ２１５）、“主幹開閉器のＯＮ診断”および“主幹開閉器の初期通電診断”の処理を終了する。このとき、信号処理部１５４は、主幹開閉器１１０および主幹通電検知部１２０を介して電源の供給を受ける。以降の各フロー図においても、特に説明のない場合、信号処理部１５４は、主幹開閉器１１０および主幹通電検知部１２０を介して電源の供給を受ける。なお、信号処理部１５４が常時バッテリー１５３から電源の供給を受けるようにしてもよい。また、ステップＳＭ２１４とステップＳＭ２１５とは同時に処理してもよい。
【００６１】
次に、ステップＳＭ２１０において、主幹開閉器１１０の通電があった場合（ＳＭ２１０で“通電有”）について説明する。図７は、ステップＳＭ２１０で“通電有”となった場合のフロー図を示しており、分電盤１００では、主幹開閉器１１０の“短絡・過電流診断”、“漏電診断”および“過電圧診断”が並行して実施される。以下では、それぞれの診断について図面を参照しながら詳細に説明する。
【００６２】
−短絡・過電流診断−
まず、主幹開閉器１１０の“短絡・過電流診断”について詳細に説明する。
【００６３】
信号処理部１５４は、主幹電流測定部１２１からの主幹電流信号Ｄ１１に基づいて、主幹開閉器１１０の通電電流が所定の閾値（例えば３６０Ａ、図内では一定値と記載する）以上か否かを判定する（ＳＭ２２１）。主幹開閉器１１０の通電電流が所定の閾値未満の場合（ＳＭ２２１で“ＮＯ”）、フローは後述する“分岐リレーＯＮ診断”に進む。
【００６４】
一方で、主幹開閉器１１０の通電電流が所定の閾値以上の場合（ＳＭ２２１で“ＹＥＳ”）、信号処理部１５４は、主幹開閉器１１０の通電電流が過電流領域か否かを判定する、すなわち、主幹電流信号Ｄ１１で示された電流が所定の閾値（例えば、１２００Ａ）未満か否かを判定する（ＳＭ２２２）。
【００６５】
主幹開閉器１１０の通電電流が過電流領域である場合、すなわち、主幹電流信号Ｄ１１で示された通電電流値が所定の閾値未満である場合（ＳＭ２２２で“ＹＥＳ”）、信号処理部１５４は、タッチパネル２００に“主幹過電流遮断”を表示させ（ＳＭ２２５）、タッチパネル２００の明るさを明るさ２に設定する（ＳＭ２２６）。
【００６６】
上記の“主幹過電流遮断”のタッチパネル２００での表示例を図１７（ａ）に示しており、タッチパネル２００には、例えば“主幹開閉器の過電流が発生したため、主幹開閉器の電源をＯＦＦしました。”と表示され、タッチパネル２００の明るさが明るさ２に設定される。その後、使用者（作業者等を含む。以下同じ。）がタッチパネル２００の確認ボタンを押すと、信号処理部１５４は、タッチパネル２００の表示を切り替え、例えば、図１７（ｂ）に示すように、主幹開閉器１１０と分岐リレー１３１のＯＮ／ＯＦＦ状態が表示された従来の分電盤の操作レバーと同様のイメージ図を表示するとともに、そのイメージ図と重ねて主幹開閉器１１０が過電流によって遮断された旨を表示する（図１７（ｂ）左側の左下がり斜線部分参照）。このとき、タッチパネルの明るさは、明るさ２に保たれる。なお、ステップＳＭ２２５とステップＳＭ２２６とは同時に処理してもかまわない。以下の診断においても、異常報知情報の表示と明るさの設定は同時に処理してもかまわない。
【００６７】
このように、主幹開閉器１１０が過電流で遮断されたことをタッチパネル２００に表示することによって、使用者は主幹開閉器１１０が遮断された原因を容易かつ明確に確認することができる。これにより、使用者は必要な行動、作業等を把握することができる。また、主幹開閉器１１０が過電流であることを拡大表示し、かつ、その明るさを上げることにより、主幹開閉器１１０が遮断された原因について、使用者がさらに容易かつ明確に確認できるようにすることができる。なお、上記の例では、図１７（ａ）に示すように拡大表示した後に、使用者の操作を受けて、図１７（ｂ）に示すように、操作レバーのイメージ図と重ねて異常状態を表示したが、使用者の操作なしに、例えば一定時間経過後に画面を切り替えるようにしてもよい。また、図１７（ａ）の拡大表示をなくし、図１７（ｂ）の表示のみを行うようにしてもよい。また、異常表示部分、すなわち、図１７（ｂ）左側の左下がり斜線部分のみを、他の部分と比較して明るく表示することにより、他の情報よりも目立つように強調して表示してもよい。また、図１７（ａ）の表示と図１７（ｂ）の表示とを繰り返し切り替えて表示することにより、他の情報よりも目立つように強調して表示してもよい。
【００６８】
再び図７に戻り、ステップＳＭ２２６の設定終了後、信号処理部１５４は、“主幹開閉器のＯＮ診断”および“主幹開閉器の初期通電診断”の処理を終了する。すなわち、並行処理を実施している主幹開閉器１１０の“漏電診断”および“過電圧診断”が処理の途中であってもそれらの診断処理を強制的に終了する。
【００６９】
一方で、主幹電流信号Ｄ１１で示された通電電流値が所定の閾値以上である場合（ＳＭ２２２で“ＮＯ”）、信号処理部１５４は、タッチパネル２００に“主幹短絡遮断”を示す表示をさせて（ＳＭ２２３）、タッチパネル２００の明るさを明るさ２に設定する（ＳＭ２２４）。タッチパネル２００の表示例は、上記の過電流による遮断の場合と同様である（図１７（ａ），（ｂ）参照）。ステップＳＭ２２４の設定終了後、信号処理部１５４は、“主幹開閉器のＯＮ診断”および“主幹開閉器の初期通電診断”の処理を終了する。すなわち、並行処理を実施している主幹開閉器１１０の“漏電診断”および“過電圧診断”が処理の途中であってもそれらの診断処理を強制的に終了する。
【００７０】
−漏電診断−
次に、主幹開閉器１１０の“漏電診断”について説明する。
【００７１】
信号処理部１５４は、主幹異常検出部１２２からの主幹異常信号Ｄ１２に基づいて、主幹開閉器１１０の漏電電流が所定の閾値（例えば３０ｍＡ、図内では一定値と記載する）以上か否かを判定する（ＳＭ２３１）。主幹開閉器１１０の漏電電流が所定の閾値未満の場合（ＳＭ２３１で“ＮＯ”）、フローは後述する“分岐リレーＯＮ診断”に進む。
【００７２】
一方で、主幹開閉器１１０の漏電電流が所定の閾値以上である場合（ＳＭ２３１で“ＹＥＳ”）、信号処理部１５４は、主幹開閉器１１０の漏電電流が所定の閾値以上である期間が一定時間（例えば、０．１秒）以上継続するか否かを判定する（ＳＭ２３２）。
【００７３】
主幹開閉器１１０の漏電電流が所定の閾値以上である期間が一定時間以上継続した場合（ＳＭ２３２で“ＹＥＳ”）、信号処理部１５４は、タッチパネル２００に“主幹漏電遮断”を示す表示をさせて（ＳＭ２３３）、タッチパネル２００の明るさを明るさ２に設定する（ＳＭ２３４）。タッチパネル２００の表示例は、上述の“短絡・過電流遮断”の場合と同様である（図１７（ａ），（ｂ）参照）。ステップＳＭ２３４の設定終了後、信号処理部１５４は、“主幹開閉器のＯＮ診断”および“主幹開閉器の初期通電診断”の処理を終了する。すなわち、並行処理を実施している主幹開閉器１１０の“短絡・過電流診断”および“過電圧診断”の処理が途中であってもそれらの診断処理を強制的に終了する。
【００７４】
一方で、主幹開閉器１１０の漏電電流が所定の閾値以上である期間が一定時間未満の場合、すなわち、主幹開閉器１１０の漏電電流が一定時間未満で所定の閾値未満となった場合（ＳＭ２３２で“ＮＯ”）、フローは後述する“分岐リレーＯＮ診断”に進む。
【００７５】
−過電圧診断−
次に、主幹開閉器１１０の“過電圧診断”について説明する。
【００７６】
信号処理部１５４は、主幹異常検出部１２２からの主幹異常信号Ｄ１２に基づいて、主幹開閉器１１０の電圧が所定の閾値（例えば１３５V、図内では一定値と記載する）以上か否かを判定する（ＳＭ２４１）。主幹開閉器１１０の電圧が所定の閾値未満の場合（ＳＭ２４１で“ＮＯ”）、フローは後述する“分岐リレーＯＮ診断”に進む。
【００７７】
一方で、主幹開閉器１１０の電圧が所定の閾値以上である場合（ＳＭ２４１で“ＹＥＳ”）、信号処理部１５４は、主幹開閉器１１０の電圧が所定の閾値以上である期間が一定時間（例えば、１秒）以上継続するか否かを判定する（ＳＭ２４２）。
【００７８】
主幹開閉器１１０の電圧が所定の閾値以上である期間が一定時間以上継続した場合（ＳＭ２４２で“ＹＥＳ”）、信号処理部１５４は、タッチパネル２００に“主幹過電圧遮断”を示す表示をさせて（ＳＭ２４３）、タッチパネル２００の明るさを明るさ２に設定する（ＳＭ２４４）。タッチパネル２００の表示例は、上述の“短絡・過電流遮断”の場合と同様である（図１７（ａ），（ｂ）参照）。ステップＳＭ２４４の設定終了後、信号処理部１５４は、“主幹開閉器のＯＮ診断”および“主幹開閉器の初期通電診断”の処理を終了する。すなわち、並行処理を実施している主幹開閉器１１０の“短絡・過電流診断”および“漏電診断”が処理の途中であってもそれらの診断処理を強制的に終了する。
【００７９】
一方で、主幹開閉器１１０の電圧が所定の閾値以上である期間が一定時間未満の場合、すなわち、主幹開閉器１１０の電圧が一定時間未満で所定の閾値未満となった場合（ＳＭ２４２で“ＮＯ”）、フローは後述する“分岐リレーのＯＮ診断”に進む。
【００８０】
上述のとおり、“主幹開閉器のＯＮ診断”において、例えば、短絡、過電流、漏電、過電圧、トラッキング等の異常がなかった場合、フローは“分岐リレーのＯＮ診断”に進む。具体的には、分岐リレー接続部１２３に接続された分岐開閉器１３０（分岐リレー１３１）がＮ個（Ｎは２以上の整数）である場合、Ｎ個の分岐リレー１３１の各々に対して“分岐リレーのＯＮ診断”が並列に実行される（ＳＳ２１〜ＳＳ２Ｎ）。図８は、図７のステップＳＳ２１〜ＳＳ２Ｎの“分岐リレーのＯＮ診断”の詳細を示したフロー図であり、Ｎ個の分岐リレー１３１のうちの１つ（説明の便宜上、第１分岐リレー１３１と称する）についての診断フローを示している。なお、他の分岐リレー１３１（説明の便宜上、第２〜第Ｎ分岐リレーと称する）についても、診断フローは同様である。
【００８１】
＜分岐リレーのＯＮ診断＞
まず、信号処理部１５４は、分岐電流測定部１４１からの分岐電流信号Ｄ２１に基づいて第１分岐リレー１３１の通電状態を確認する（ＳＳ５１０）。第１分岐リレー１３１の通電がない場合（ＳＳ５１０で“通電無”）、信号処理部１５４は、タッチパネル２００に“第１分岐リレーのＯＦＦ表示”をさせる（ＳＳ５１１）。具体的には、例えば、第１分岐リレー１３１が“トイレ”の分岐リレーである場合、“トイレ”に対応する分岐リレーの表示を“ＯＦＦ”表示に切り替える（図１５参照）。このとき、信号処理部１５４は、タッチパネル２００の明るさを変更しない。ステップＳＳ５１１の表示設定後、フローは、ステップＳＭ１３（診断結果異常なし）に進む。
【００８２】
一方で、ステップＳＳ５１０において、第１分岐リレー１３１の通電があった場合（ＳＳ５１０で“通電有”）、第１分岐リレー１３１の“短絡・過電流診断”、“漏電診断”および“トラッキング診断”が並行して実施される。以下では、それぞれの診断について図面を参照しながら詳細に説明する。
【００８３】
−短絡・過電流診断−
まず、第１分岐リレー１３１の“短絡・過電流診断”について詳細に説明する。
【００８４】
信号処理部１５４は、分岐電流測定部１４１からの分岐電流信号Ｄ２１に基づいて、第１分岐リレー１３１の通電電流が所定の閾値（例えば１２０Ａ、図内では一定値と記載する）以上か否かを判定する（ＳＳ５２１）。第１分岐リレー１３１の通電電流が所定の閾値未満の場合（ＳＳ５２１で“ＮＯ”）、信号処理部１５４は、タッチパネル２００に“第１分岐リレーのＯＮ表示”をさせる（ＳＳ５５０）。具体的には、例えば、第１分岐リレー１３１が“台所”の分岐リレーである場合、“台所”に対応する分岐リレーの表示を“ＯＮ”表示に切り替える（図１５参照）。このとき、信号処理部１５４は、タッチパネル２００の明るさを変更しない。ステップＳＳ５５０の表示設定後、フローは、ステップＳＭ１３（診断結果異常なし）に進む。
【００８５】
一方で、第１分岐リレー１３１の通電電流が所定の閾値以上の場合（ＳＳ５２１で“ＹＥＳ”）、信号処理部１５４は、第１分岐リレー１３１の通電電流が過電流領域か否かを判定する、すなわち、分岐電流信号Ｄ２１で示された電流が所定の閾値（例えば、４００Ａ）未満か否かを判定する（ＳＳ５２２）。
【００８６】
第１分岐リレー１３１の通電電流が過電流領域である場合、すなわち、分岐電流信号Ｄ２１で示された通電電流値が所定の閾値未満である場合（ＳＳ５２２で“ＹＥＳ”）、信号処理部１５４は、開閉制御信号ＣＳ１により第１分岐リレー１３１を“ＯＦＦ”制御する（ＳＳ５２６）。そして、信号処理部１５４は、タッチパネル２００に“第１分岐リレー過電流遮断”を表示させ（ＳＳ５２７）、タッチパネル２００の明るさを明るさ２に設定する（ＳＳ５２８）。上記の“第１分岐リレー過電流遮断”のタッチパネル２００での表示例を図１８（ａ）に示す。図１８（ａ）は、第１分岐リレー１３１が“トイレ”の分岐リレーである場合の例を示しており、タッチパネル２００には、例えばトイレに対応する分岐リレーの操作レバーのイメージ図が拡大表示され、タッチパネル２００の明るさが明るさ２に設定される。その後、使用者がタッチパネル２００の確認ボタンを押すと、信号処理部１５４は、タッチパネル２００の表示を切り替え、例えば、図１８（ｂ）に示すように、分岐リレー１３１のＯＮ／ＯＦＦ状態が表示された従来の分電盤の操作レバーと同様のイメージ図を表示するとともに、このイメージ図と重ねて“トイレ”の分岐リレーが過電流によって遮断された旨を表示する。このとき、タッチパネルの明るさは、明るさ２に保たれる。
【００８７】
このように、第１分岐リレー１３１が過電流で遮断されたことをタッチパネル２００に表示することによって、使用者はＮ個の分岐リレー１３１のうち、第１分岐リレー１３１が遮断されたことを容易かつ明確に確認することができるとともに、遮断原因についても容易かつ明確に確認することできる。これにより、使用者は必要な行動、作業等を把握することができる。具体的には、例えば、使用者が住居の居住者だった場合、自身で解決可能な異常なのか、あるいは電力会社や電気工事士等の有資格者等に通報を要する異常なのかを瞬時に把握することができる。
【００８８】
また、第１分岐リレー１３１が過電流であることを拡大表示し、かつ、その明るさを上げることにより、第１分岐リレー１３１が遮断されたことおよびその原因について、使用者がさらに容易かつ明確に確認できるようにすることができる。なお、図１８（ａ）に示すように、操作レバーの拡大表示時に、遮断原因である“過電流”という表示と併せて、実際の漏電電流値（例えば、１０ｍＡ）と表示するようにしてもよい。
【００８９】
前記ステップＳＳ５２８の設定終了後、信号処理部１５４は、第１分岐リレー１３１の“分岐リレーのＯＮ診断”を終了する。すなわち、並行処理を実施している第１分岐リレー１３１に係る“分岐リレーのＯＮ診断”の“漏電診断”および“トラッキング診断”が処理の途中であってもそれらの診断処理を強制的に終了する。一方で、“主幹開閉器のＯＮ診断”、“主幹開閉器の初期通電診断”、および第２〜第Ｎ分岐リレー１３１に係る“分岐リレーのＯＮ診断”の診断は継続する。
【００９０】
一方で、分岐電流信号Ｄ２１で示された通電電流値が所定の閾値以上である場合（ＳＳ５２２で“ＮＯ”）、信号処理部１５４は、開閉制御信号ＣＳ１により第１分岐リレー１３１を“ＯＦＦ”制御する（ＳＳ５２３）。そして、信号処理部１５４は、タッチパネル２００に“第１分岐リレー短絡遮断”を示す表示をさせて（ＳＳ５２４）、タッチパネル２００の明るさを明るさ２に設定する（ＳＳ５２５）。タッチパネル２００の表示例は、上記の過電流による遮断の場合と同様である（図１８（ａ），（ｂ）参照）。ステップＳＳ５２５の設定終了後、信号処理部１５４は、第１分岐リレー１３１の“分岐リレーのＯＮ診断”を終了する。
【００９１】
−漏電診断−
次に、第１分岐リレー１３１の“漏電診断”について説明する。
【００９２】
信号処理部１５４は、分岐異常検出部１４２からの分岐異常信号Ｄ２２に基づいて、第１分岐リレー１３１の漏電電流が所定の閾値（例えば１５ｍＡ、図内では一定値と記載する）以上か否かを判定する（ＳＳ５３１）。第１分岐リレー１３１の漏電電流が所定の閾値未満の場合（ＳＳ５３１で“ＮＯ”）、信号処理部１５４は、タッチパネル２００に“第１分岐リレーのＯＮ表示”をさせる（ＳＳ５５０）。
【００９３】
一方で、第１分岐リレー１３１の漏電電流が所定の閾値以上である場合（ＳＳ５３１で“ＹＥＳ”）、信号処理部１５４は、第１分岐リレー１３１の漏電電流が所定の閾値以上である期間が一定時間（例えば、０．１秒）以上継続するか否かを判定する（ＳＳ５３２）。第１分岐リレー１３１の漏電電流が所定の閾値以上である期間が一定時間未満の場合（ＳＳ５３２で“ＮＯ”）、信号処理部１５４は、タッチパネル２００に“第１分岐リレーのＯＮ表示”をさせる（ＳＳ５５０）。
【００９４】
第１分岐リレー１３１の漏電電流が所定の閾値以上である期間が一定時間以上継続した場合（ＳＳ５３２で“ＹＥＳ”）、信号処理部１５４は、開閉制御信号ＣＳ１により第１分岐リレー１３１を“ＯＦＦ”制御する（ＳＳ５３３）。そして、信号処理部１５４は、タッチパネル２００に“第１分岐リレー漏電遮断”を表示させ（ＳＳ５３４）、タッチパネル２００の明るさを明るさ２に設定する（ＳＳ５３５）。タッチパネル２００の表示例は、上述の第１分岐リレー１３１の“短絡・過電流診断”の場合と同様である（図１８（ａ），（ｂ）参照）。ステップＳＳ５３５の設定終了後、信号処理部１５４は、第１分岐リレー１３１の“分岐リレーのＯＮ診断”を終了する。“分岐リレーのＯＮ診断”後の処理は、上述の第１分岐リレー１３１の“短絡・過電流診断”の場合と同様である。
【００９５】
−トラッキング診断−
次に、第１分岐リレー１３１の“トラッキング診断”について説明する。トラッキング診断とは、トラッキング発生の有無を検知するためのものであり、具体的な回路構成、診断方法等は、例えば特開２００１−１０３６５７号公報に開示されている。
【００９６】
まず、信号処理部１５４は、分岐異常検出部１４２からの分岐異常信号Ｄ２２に基づいて、第１分岐リレー１３１におけるトラッキング発生の有無を判定する（ＳＳ５４１）。第１分岐リレー１３１にトラッキングが発生していない場合（ＳＳ５４１で“ＮＯ”）、信号処理部１５４は、タッチパネル２００に“第１分岐リレーのＯＮ表示”をさせる（ＳＳ５５０）。
【００９７】
一方で、第１分岐リレー１３１にトラッキングが発生している場合（ＳＳ５４１で“ＹＥＳ”）、信号処理部１５４は、開閉制御信号ＣＳ１により第１分岐リレー１３１を“ＯＦＦ”制御する（ＳＳ５４２）。そして、信号処理部１５４は、タッチパネル２００に“第１分岐リレートラッキング遮断”を表示させ（ＳＳ５４３）、タッチパネル２００の明るさを明るさ２に設定する（ＳＳ５４４）。タッチパネル２００の表示例は、上述の第１分岐リレー１３１の“短絡・過電流診断”の場合と同様である（図１８（ａ），（ｂ）参照）。ステップＳＳ５４４の設定終了後、信号処理部１５４は、第１分岐リレー１３１の“分岐リレーのＯＮ診断”を終了する。“分岐リレーのＯＮ診断”後の処理は、上述の第１分岐リレー１３１の“短絡・過電流診断”の場合と同様である。
【００９８】
なお、各分岐リレー１３１の“分岐リレーのＯＮ診断”は、各々の分岐リレーがＯＮ操作される毎に実施される。具体的には、例えば、使用者がタッチパネル２００を介して分岐リレーのＯＮ操作をしたとき、“分岐リレーのＯＮ診断”が実行される。図９（ａ）は、分岐リレーがＯＮ操作されたときの“分岐リレーのＯＮ診断”のフローを示した図である。
【００９９】
図９（ａ）に示すように、第１分岐リレー１３１がＯＮ操作されたとき（ＳＳ１１）、信号処理部１５４は、第１分岐リレー１３１について、“分岐リレーのＯＮ診断”（ＳＳ２１）を行う。具体的なフローは、図８に示した“分岐リレーのＯＮ診断”と同じである。そして、この“分岐リレーのＯＮ診断”（ＳＳ２１）で異常が確認されなかった場合、フローはステップＳＳＤ１に進み、信号処理部１５４は、タッチパネル２００に“第１分岐リレーのＯＮ表示”をさせて、処理を終了する。一方で、“分岐リレーのＯＮ診断”の結果、異常があった場合は、図８のフローに基づき、その異常内容がタッチパネル２００に表示される。第２〜第Ｎ分岐リレー１３１がＯＮ操作された場合（ＳＳ１２〜ＳＳ１Ｎ）においても、第１分岐リレー１３１の場合と同様に、“分岐リレーのＯＮ診断”（ＳＳ２２〜ＳＳ２Ｎ）が行われ、異常が確認されなかった場合は、ＯＮ操作された分岐リレー１３１について“分岐リレーのＯＮ表示”がされ（ＳＳＤ１）、その後処理が終了する。このとき、信号処理部１５４は、タッチパネル２００の明るさを変更しない。一方で、“分岐リレーのＯＮ診断”の結果、異常があった場合は、図８のフローに基づき、その異常内容がタッチパネル２００に表示される。
【０１００】
図９（ｂ）は、分岐リレーがＯＦＦ操作されたときのフローを示した図である。図９（ｂ）に示すように、第１分岐リレー１３１がＯＦＦ操作されたとき（ＳＳ３１）、信号処理部１５４は、開閉制御信号ＣＳ１により第１分岐リレー１３１を“ＯＦＦ”制御する（ＳＳ４１）。そして、信号処理部１５４は、タッチパネル２００に“第１分岐リレーのＯＦＦ表示”をさせて（ＳＳＤ２）、処理を終了する。このとき、信号処理部１５４は、タッチパネル２００の明るさを変更しない。第２〜第Ｎ分岐リレー１３１がＯＦＦ操作された場合（ＳＳ３２〜ＳＳ３Ｎ）においても、第１分岐リレー１３１の場合と同様に、信号処理部１５４は、開閉制御信号ＣＳ１によりＯＦＦ操作された分岐リレー１３１を“ＯＦＦ”制御する（ＳＳ４２〜ＳＳ４Ｎ）。そして、信号処理部１５４は、タッチパネル２００にＯＦＦ操作された分岐リレー１３１についての“分岐リレーのＯＦＦ表示”をさせて（ＳＳＤ２）、処理を終了する。このとき、信号処理部１５４は、タッチパネル２００の明るさを変更しない。
【０１０１】
＜定常時通電診断＞
図１０〜図１３は主幹開閉器１１０および分岐開閉器１３０（分岐リレー１３１）の定常時診断（例えば短絡、過電流、漏電、過電圧、トラッキング等の異常の有無の診断）についての診断フローを示した図である。定常時診断は、主幹開閉器１１０および分岐リレー１３１の定常動作時に係る診断であり、主幹開閉器１１０がＯＮ操作された後は、常時実施される診断である。図１０〜図１３に示すように、定常時診断では、主幹開閉器１１０の各診断（通電診断、短絡診断、過電流診断、漏電診断、過電圧診断）と、第１〜第Ｎ分岐リレー１３１の各々の診断とが並行して実施される。
【０１０２】
−主幹開閉器の通電診断−
図１０に示すように、ステップＳＭ３００において“定常時通電診断”が開始されると、分電盤１００では、主幹電流測定部１２１からの主幹電流信号Ｄ１１に基づいて主幹開閉器１１０の通電状態が確認される（ＳＭ３１０）。ステップＳＭ３１０において、主幹開閉器１１０の通電があった場合（ＳＭ３１０で“通電有”）、フローはステップＳＭ３１０の判定に戻り、主幹開閉器１１０の通電状態を確認する。換言すると、ステップＳＭ３１０で“通電有”の期間は、分電盤１００ではステップＳＭ３１０の判定が続けられる。
【０１０３】
一方で、主幹開閉器１１０の通電がない場合（ＳＭ３１０で“通電無”）、分電盤１００では、停電検知部１５２からの停電検知信号Ｄ３に基づいて、一次側（外部の電源から主幹開閉器１１０までの間）の通電が確認される（ＳＭ２１１）。以降、ステップＳＭ２１１〜ＳＭ２１５までの診断フローは、“主幹開閉器の初期通電診断”と同じである。
【０１０４】
−主幹開閉器の短絡診断−
次に、主幹開閉器１１０の短絡診断について詳細に説明する。
【０１０５】
図１１に示すように、信号処理部１５４は、主幹電流測定部１２１からの主幹電流信号Ｄ１１に基づいて、短絡電流が検出されるか否か、すなわち、主幹開閉器１１０の通電電流が所定の閾値（例えば５ｋＡ、図内では短絡電流検出と記載する）以上か否かを判定する（ＳＭ４１１）。主幹開閉器１１０の短絡電流が所定の閾値未満の場合（ＳＭ４１１で“ＮＯ”）、フローはステップＳＭ４１１の判定に戻り、信号処理部１５４は、主幹開閉器１１０の通電電流が所定の閾値以上か否かを判定する。換言すると、ＳＭ４１１で“ＮＯ”の期間、すなわち、短絡電流が検出されていない期間は、信号処理部１５４は、ステップＳＭ４１１の判定を続ける。
【０１０６】
一方で、主幹電流信号Ｄ１１で示された通電電流値が所定の閾値以上である場合（ＳＭ４１１で“ＹＥＳ”）、以降のフローは、“主幹開閉器の初期通電診断”のステップＳＭ２２３およびステップＳＭ２２４（図７参照）と同じである。
【０１０７】
−主幹開閉器の過電流診断−
次に、主幹開閉器１１０の過電流診断について詳細に説明する。
【０１０８】
図１１に示すように、信号処理部１５４は、主幹電流測定部１２１からの主幹電流信号Ｄ１１に基づいて、主幹開閉器１１０の通電電流が所定の閾値（例えば定格電流の１２５％に相当する７５Ａ、図内では一定値と記載する）以上か否かを判定する（ＳＭ４２１）。主幹開閉器１１０の通電電流が所定の閾値未満の場合（ＳＭ４２１で“ＮＯ”）、フローはステップＳＭ４２１の判定に戻り、主幹開閉器１１０の通電電流が所定の閾値以上か否かを判定する。換言すると、ＳＭ４２１で“ＮＯ”の期間、すなわち、過電流が検出されていない期間は、信号処理部１５４は、ステップＳＭ４２１の判定を続ける。
【０１０９】
一方で、主幹電流信号Ｄ１１で示された通電電流値が所定の閾値以上である場合において（ＳＭ４２１で“ＹＥＳ”）、後述するピークカット機能が“ＯＦＦ”のとき（ＳＭ４２２で“ＮＯ”）、信号処理部１５４は、主幹開閉器１１０の通電電流が所定の閾値以上である期間が一定時間以上継続するか否かを判定する（ＳＭ４２３）。本実施形態において、上記の所定の閾値以上の通電電流が一定時間以上の期間継続するとは、例えば、定格電流の１２５％に相当する７５Ａ以上の通電電流が２時間以上継続すること、および定格電流の２００％に相当する１２０Ａ以上の通電電流が６分以上継続することのうちの少なくともいずれか一方が発生することである。
【０１１０】
ステップＳＭ４２３において、主幹開閉器１１０の通電電流が所定の閾値以上である期間が一定時間以上継続した場合（ＳＭ４２３で“ＹＥＳ”）、以降のフローは、“主幹開閉器の初期通電診断”のステップＳＭ２２５およびステップＳＭ２２６（図７参照）と同じである。一方で、主幹開閉器１１０の通電電流が所定の閾値以上である期間が一定時間以上継続しなかった場合（ＳＭ４２３で“ＮＯ”）、フローはステップＳＭ４２１の判定に戻る。
【０１１１】
また、主幹電流信号Ｄ１１で示された通電電流値が所定の閾値以上である場合において（ＳＭ４２１で“ＹＥＳ”）、ピークカット機能が“ＯＮ”のとき（ＳＭ４２２で“ＹＥＳ”）、信号処理部１５４は、使用者によるピークカット動作が設定されているか否かを判定する（ＳＭ４２７）。ピークカット動作が設定されている場合（ＳＭ４２７で“ＹＥＳ”）、フローは後述するステップＳＭ４２８のピークカット処理に進む。一方で、ピークカット動作が設定されていない場合（ＳＭ４２７で“ＮＯ”）、フローはステップＳＭ４２３に進む。本開示において、ピークカット機能とは、主幹開閉器１１０の通電電流が、所定の電流を超えた場合に、信号処理部１５４が予め設けられた分岐リレー１３１を遮断し、主幹開閉器１１０が遮断されることを防止する機能である。所定の電流は、工場出荷時に定められる電流であってもよいし、使用者により予め定められる電流であってもよい。また、可変可能としてもよい。また、分岐リレー１３１を遮断する順番は、予め定められた分岐リレー１３１に優先順位を設定してこれに基づいて遮断してもよい。なお、所定の電流は、過電流が生じない電流範囲において予め定めておいてもよい。
【０１１２】
図１４（ａ）は使用者によるピークカット動作設定のフローを示した図である。
【０１１３】
図１４（ａ）に示すように、例えば、使用者がタッチパネル２００上でピークカット設定を開始する操作をした場合、フローはステップＳＰ１１からステップＳＰ１２に進み、信号処理部１５４は、ピークカット電流値の設定を行う。具体的には、例えば、信号処理部１５４は、タッチパネル２００にピークカット電流値の入力を促す表示を行い、使用者からのピーク電流値の設定操作を受ける。その設定操作を受けた後、信号処理部１５４は、設定された電流値が主幹定格電流以下の値であるか否かを判定する（ＳＰ１３）。設定された電流値が主幹定格電流以下である場合、フローはステップＳＰ１５に進み、信号処理部１５４は、分岐リレー１３１の遮断優先順位設定を行う。具体的には、例えば、信号処理部１５４は、タッチパネル２００に分岐リレー１３１のＭ個（Ｍ＞０かつＭ≦Ｎの整数）の遮断優先順位の入力を促す表示を行い、使用者からの設定操作を受ける。その設定操作を受けた後、信号処理部１５４は、設定値を記憶する等の設定動作を行い（ＳＰ１６）、その設定完了後、処理を終了する。
【０１１４】
図１４（ｂ）はステップＳＭ４２８のピークカット処理のフローを示した図である。なお、本実施形態では、ステップＳＰ１５で設定された優先順位は２個（Ｍ＝２）であり、優先順位１位の分岐リレーが第Ｑ分岐リレー１３１（０＜Ｑ≦Ｎの整数）、優先順位２位の分岐リレーが第Ｒ分岐リレー１３１（０＜Ｒ≦Ｎ、かつ、Ｒ≠Ｑの整数）であるものとする。
【０１１５】
図１４（ｂ）に示すように、信号処理部１５４は、主幹電流測定部１２１からの主幹電流信号Ｄ１１に基づいて、主幹開閉器１１０の通電電流値を読み取り（ＳＰ２１）、その読み取った電流値（以下、単に読取電流値ともいう）が設定電流値以上か否かを判定する（ＳＰ２２）。読取電流値が設定電流値未満の場合（ＳＰ２１で“ＮＯ”）、フローはステップＳＰ２１の判定に戻り、信号処理部１５４は、読取電流値が設定電流値以上か否かを判定する。
【０１１６】
一方で、読取電流値が設定電流値以上の場合（ＳＰ２１で“ＹＥＳ”）、信号処理部１５４は、ステップＳＰ１５で設定された優先順位に基づき、優先順位が１位の第Ｑ分岐リレー１３１を“ＯＦＦ”制御する（ＳＰ２３）とともに、ＯＦＦ操作された第Ｑ分岐リレー１３１についての“分岐リレーのＯＦＦ表示”をさせて（ＳＰ２４）、フローはステップＳＰ２５に進む。ステップＳＰ２５では、信号処理部１５４は、主幹開閉器１１０の通電電流値を再度読み取り、読取電流値が設定電流値以上か否かを判定する。
【０１１７】
読取電流値が設定電流値以上の場合（ＳＰ２５で“ＹＥＳ”）、信号処理部１５４は、ピークカット処理を終了し、フローはＳＭ４２１に戻る。
【０１１８】
一方で、読取電流値が設定電流値未満の場合（ＳＰ２５で“ＮＯ”）、フローはステップＳＰ２６，ＳＰ２７を介してステップＳＰ２３に戻り、信号処理部１５４は、ステップＳＰ１５で設定された優先順位に基づき、優先順位が２位の第Ｒ分岐リレー１３１を“ＯＦＦ”制御するとともに、ＯＦＦ操作された第Ｒ分岐リレー１３１についての“分岐リレーのＯＦＦ表示”をさせて（ＳＰ２４）、フローはステップＳＰ２５に進む。
【０１１９】
このように、信号処理部１５４は、ステップＳＰ２３からステップＳＰ２７までのフローを、読取電流値が設定電流値以上になる、あるいは、Ｍが“０”になるまで繰り返し、Ｍが“０”になった後、ピークカット処理を終了する（フローはＳＭ４２１に戻る）。
【０１２０】
−主幹開閉器の漏電診断−
次に、主幹開閉器１１０の漏電診断について説明する。
【０１２１】
図１２に示すように、この“主幹開閉器の漏電診断”において、“主幹開閉器の初期通電診断”（図７参照）と異なるのは、ステップＳＭ２３１の判定結果が“ＮＯ”である場合、およびステップＳＭ２３２の判定結果が“ＮＯ”である場合に、フローがステップＳＭ２３１の判定に戻る点である。
【０１２２】
−主幹開閉器の過電圧診断−
次に、主幹開閉器１１０の“過電圧診断”について説明する。
【０１２３】
図１２に示すように、この“過電圧診断”において、“主幹開閉器の初期通電診断”（図７参照）と異なるのは、ステップＳＭ２４１で“ＮＯ”の場合、およびステップＳＭ２４２で“ＮＯ”の場合に、フローがステップＳＭ２４１の判定に戻る点である。
【０１２４】
−分岐リレーの通電診断−
次に、分岐リレー１３１の通電診断について説明する。ここでは分岐リレー１３１の通電診断として、第１分岐リレー１３１の通電診断について説明するが、第２〜第Ｎ分岐リレー１３１についても並行して同様の通電診断が実施される。以下、“分岐リレーの短絡診断”、“分岐リレーの過電流診断”、“分岐リレーの漏電診断”および“分岐リレーのトラッキング診断”においても同様とする。
【０１２５】
図１３に示すように、信号処理部１５４は、分岐電流測定部１４１からの分岐電流信号Ｄ２１に基づいて第１分岐リレー１３１の通電状態を確認する（ＳＳ６１０）。第１分岐リレー１３１の通電がない場合（ＳＳ６１０で“通電無”）、信号処理部１５４は、タッチパネル２００に“第１分岐リレーのＯＦＦ表示”をさせ（ＳＳ６１２）、第１分岐リレー１３１の診断を終了する。一方で、第１分岐リレー１３１の通電があった場合（ＳＳ６１０で“通電有”）、第１分岐リレー１３１の“短絡診断”、“過電流診断”、“漏電診断”および“トラッキング診断”が並行して実施される。以下では、それぞれの診断について図面を参照しながら詳細に説明する。
【０１２６】
−分岐リレーの短絡診断−
次に、第１分岐リレー１３１の短絡診断について詳細に説明する。
【０１２７】
図１３に示すように、信号処理部１５４は、分岐電流測定部１４１からの分岐電流信号Ｄ２１に基づいて、短絡電流が検出されるか否か、すなわち、第１分岐リレー１３１の通電電流が所定の閾値（例えば２．５ｋＡ、図内では短絡電流検出と記載する）以上か否かを判定する（ＳＳ６１１）。第１分岐リレー１３１の通電電流が所定の閾値未満の場合（ＳＳ６１１で“ＮＯ”）、フローはステップＳＳ６１１の判定に戻り、第１分岐リレー１３１の通電電流が所定の閾値以上か否かを判定する。換言すると、ＳＳ６１１で“ＮＯ”の期間、すなわち、短絡電流が検出されていない期間は、信号処理部１５４は、ステップＳＳ６１１の判定を続ける。
【０１２８】
一方で、分岐電流信号Ｄ２１で示された通電電流値が所定の閾値以上である場合（ＳＳ６１１で“ＹＥＳ”）、以降のフローは、“分岐リレーのＯＮ診断”（図８参照）のステップＳＳ５２３〜ＳＳ５２５と同じである。
【０１２９】
−分岐リレーの過電流診断−
次に、第１分岐リレー１３１の過電流診断について詳細に説明する。
【０１３０】
図１３に示すように、信号処理部１５４は、分岐電流測定部１４１からの分岐電流信号Ｄ２１に基づいて、第１分岐リレー１３１の通電電流が所定の閾値（例えば定格電流の１２５％に相当する２５Ａ、図内では一定値と記載する）以上か否かを判定する（ＳＳ６２１）。第１分岐リレー１３１の通電電流が所定の閾値未満の場合（ＳＳ６２１で“ＮＯ”）、フローはステップＳＳ６２１の判定に戻り、第１分岐リレー１３１の通電電流が所定の閾値以上か否かを判定する。換言すると、ＳＳ６２１で“ＮＯ”の期間、すなわち、過電流が検出されていない期間は、信号処理部１５４は、ステップＳＳ６２１の判定を続ける。
【０１３１】
一方で、分岐電流信号Ｄ２１で示された通電電流値が所定の閾値以上である場合（ＳＳ６２１で“ＹＥＳ”）、信号処理部１５４は、第１分岐リレー１３１の通電電流が所定の閾値以上である期間が一定時間以上継続するか否かを判定する（ＳＳ６２２）。本実施形態において、上記の所定の閾値以上の通電電流が一定時間以上の期間継続するとは、例えば、定格電流の１２５％に相当する２５Ａ以上の通電電流が２時間以上継続すること、および定格電流の２００％に相当する４０Ａ以上の通電電流が２分以上継続することのうちの少なくともいずれか一方が発生することである。
【０１３２】
ステップＳＳ６２２において、第１分岐リレー１３１の通電電流が所定の閾値以上である期間が一定時間以上継続した場合（ＳＳ６２２で“ＹＥＳ”）、以降のフローは、“分岐リレーのＯＮ診断”（図８参照）のステップＳＳ５２６〜ＳＳ５２８と同じである。一方で、第１分岐リレー１３１の通電電流が所定の閾値以上である期間が一定時間以上継続しなかった場合（ＳＳ６２２で“ＮＯ”）、フローはステップＳＳ６２１の判定に戻る。
【０１３３】
−分岐リレーの漏電診断−
次に、第１分岐リレー１３１の漏電診断について詳細に説明する。
【０１３４】
図１３に示すように、この“分岐リレーの漏電診断”において、“分岐リレーのＯＮ診断”（図８参照）と異なるのは、ステップＳＳ５３１の判定結果が“ＮＯ”である場合、およびステップＳＳ５３２の判定結果が“ＮＯ”である場合に、フローがステップＳＳ５３１の判定に戻る点である。
【０１３５】
−分岐リレーのトラッキング診断−
次に、第１分岐リレー１３１のトラッキング診断について詳細に説明する。
【０１３６】
図１３に示すように、この“トラッキング診断”において、“分岐リレーのＯＮ診断”（図８参照）と異なるのは、ステップＳＳ５４１で“ＮＯ”の場合に、フローがステップＳＳ５４１の判定に戻る点である。
【０１３７】
（その他の実施形態）
図１９は、分岐リレー１３１として、半導体リレーを用い、この分岐リレー１３１および分岐通電検知部１４０（分岐電流測定部１４１、分岐異常検出部１４２）をプリント基板１６６上に実装した例を示している。このものでは、各分岐異常検出部１４２の負荷側配線は、プリント基板１６６に一体的に設けられたコネクタ１６７に接続される。そして、このコネクタ１６７と負荷側コネクタ１５６とが、例えばケーブル１６８等によって接続される。このような構成とすることにより、分電盤１００のサイズをさらに小型化することができる。なお、図１９において、コネクタ１６７を省き、プリント基板１６６を拡張して、プリント基板１６６が直接負荷側コネクタ１５６に接続されるようにしてもよい。また、分岐リレー１３１および分岐通電検知部１４０に加えて、例えば、信号処理部１５４、通信部１６４、パネル入出力部１６５等をプリント基板１６６上に実装してもよい。
【０１３８】
また、図１９に示すように、分電盤１００は、主幹開閉器１１０および停電検知部１５２の入力側と電源側コネクタ１５１との間に配設され、信号処理部１５４からの制御を受けて、外部の電源と主幹開閉器１１０および停電検知部１５２とを接続する電路の接続／遮断をオンオフ制御可能に構成された切替部１６９をさらに備えていてもよい。信号処理部１５４は、所定の外部トリガを受けたとき、切替部１６９をオフ制御して、外部の電源と主幹開閉器１１０および停電検知部１５２とを接続する電路を遮断する、すなわち、分電盤１００を外部の電源（例えば商用電源）と切り離す。上記の所定のトリガは、例えば商用電源が停電したときに受けるトリガである。これにより、例えば、分電盤１００が自家発電装置のような他の電源に接続されていた場合において、商用電源が停電したとき、自家発電電力が商用電源側に逆潮流しないようにすることができる。すなわち、分電盤１００の単独運転を防止することができる。なお、切替部１６９は、主幹開閉器１１０と電源側コネクタ１５１とを接続する配線と、停電検知部１５２の入力側との間に配設されていてもよい（図示しない）。このように切替部１６９を配設した場合においても、停電時の逆潮流を防止し、分電盤１００の単独運転を防止することができる。
【０１３９】
また、上述の実施形態では、主幹開閉器１１０の遮断時のタッチパネル２００での表示例を図１７（ａ）であるものとし、分岐リレー１３１の遮断時のタッチパネル２００での表示例を図１８（ａ）であるものとしたが、これに限定されない。例えば、主幹開閉器１１０の遮断時に図１８（ａ）のように表示してもよいし、分岐リレー１３１の遮断時に図１７（ａ）のように表示してもよい。
【０１４０】
また、上述の実施形態では、分電盤１００が分岐開閉器１３０と分岐通電検知部１４０とを備える例について説明したが、分岐通電検知部１４０を省いて、各分岐開閉器１３０が分岐通電検知部１４０の機能を包含するようにしてもよい。また、信号処理部１５４、通信部１６４、およびパネル入出力部１６５の機能を統合し、これらの機能を包含する１つの制御部を設けてもよい。
【産業上の利用可能性】
【０１４１】
本開示に係る分電盤は、安全性を確保しつつ、高い利便性を有するようにしているため、住居用途や店舗用途等として屋内外で使用される分電盤として有用である。
【符号の説明】
【０１４２】
１００  分電盤
１０１  筐体
１１０  主幹開閉器
１１３  操作レバー
１２０  主幹通電検知部
１３０  分岐開閉器
１３１  分岐リレー（切替ユニット）
１４０  分岐通電検知部
１５１  電源側コネクタ
１５３  バッテリー
１５４  信号処理部（制御部）
１５６  負荷側コネクタ
２００  タッチパネル
Ｄ１  主幹通電信号
Ｄ２  分岐通電信号
ＣＳ１  開閉制御信号
【図１】
2020022363.tif 000003
【図２】
2020022363.tif 000004
【図３】
2020022363.tif 000005
【図４】
2020022363.tif 000006
【図５】
2020022363.tif 000007
【図６】
2020022363.tif 000008
【図７】
2020022363.tif 000009
【図８】
2020022363.tif 000010
【図９】
2020022363.tif 000011
【図１０】
2020022363.tif 000012
【図１１】
2020022363.tif 000013
【図１２】
2020022363.tif 000014
【図１３】
2020022363.tif 000015
【図１４】
2020022363.tif 000016
【図１５】
2020022363.tif 000017
【図１６】
2020022363.tif 000018
【図１７】
2020022363.tif 000019
【図１８】
2020022363.tif 000020
【図１９】
2020022363.tif 000021